(57)【要約】【課題】各券種の処理量に応じて券の収納先を変更することができる券処理装置を提供すること。【解決手段】実施形態の券処理装置は、取出手段と、第１の判別手段と、データ収集手段と、第２の判別手段と、振分け手段と、収納手段とを備える。前記取出手段は、未処理券収納部に収納された複数の券を取り出す。前記第１の判別手段は、前記券の種類を判別する。前記データ収集手段は、各券種の処理量データを収集する。前記第２の判別手段は、前記券の種類及び前記各券種の処理量データに基づき、前記券の振分け先を判別する。前記振分け手段は、前記券の振分け先の判別結果に基づき、前記券を振分ける。前記収納手段は、振分けられた前記券を収納する複数の収納部により構成される。【選択図】図１Ａ
2013214129.tif 000002
【特許請求の範囲】
【請求項１】
未処理券収納部に収納された複数の券を取り出す取出手段と、
前記券の種類を判別する第１の判別手段と、
各券種の処理量データを収集するデータ収集手段と、
前記券の種類及び前記各券種の処理量データに基づき、前記券の振分け先を判別する第２の判別手段と、
前記券の振分け先の判別結果に基づき、前記券を振分ける振分け手段と、
振分けられた前記券を収納する複数の収納部により構成される収納手段と、
を備え、
前記データ収集手段は、外部の券処理で得られた前記各券種の処理量データを外部から受信する券処理装置。
【請求項２】
前記データ収集手段は、前記未処理券収納部に収納された前記複数の券のうちの所定枚数の券を取り出し、これら所定枚数の券の種別を判別し、これら所定枚数の券の種別の判別結果に基づき前記各券種の処理量データを取得する請求項１の券処理装置。
【請求項３】
前記データ収集手段は、各券種の流通量データを受信し、
前記第２の判別手段は、前記各券種の処理量データに替えて、前記各券種の流通量データに基づき、前記券の振分け先を判別する請求項１又は２の券処理装置。
【請求項４】
前記データ収集手段は、前記各券種の処理量データを外部から受信できない場合に、前記所定枚数の券の種別の判別結果に基づき前記各券種の処理量データを取得する請求項２の券処理装置。
【請求項５】
前記データ収集手段は、前記各券種の処理量データを収集できない場合に、各券種の流通量データを受信する請求項３の券処理装置。
【請求項６】
前記第２の判別手段は、第１の処理量の第１の券種の券の収納先を前記複数の収納部のうちの第１の収納部と判別し、前記第１の処理量より少ない第２の処理量の第２の券種の券の収納先を前記複数の収納部のうちの第２の収納部と判別し、
前記振分け手段は、前記券の振分け先の判別結果に基づき、前記第１の券種の券を前記第１の収納部へ振分け、前記第２の券種の券を前記第２の収納部へ振分ける請求項１の券処理装置。
【請求項７】
外部の券処理で得られた各券種の処理量データを受信し、
未処理券収納部に収納された複数の券を取り出し、
前記券の種類を判別し、
前記券の種類及び前記各券種の処理量データに基づき、前記券の振分け先を判別し、
前記券の振分け先の判別結果に基づき、前記券を振分け、
前記振分けられた前記券を収納する複数の収納部で収納する券処理方法。
【発明の詳細な説明】
【技術分野】
【０００１】
本発明の実施形態は、券処理装置及び券処理方法に関する。
【背景技術】
【０００２】
複数の種類からなる複数の紙葉類（券）をまとめて投入し、券種或いは汚損度や向きなどの状態に基づいて紙葉類を区分し、区分した各紙葉類を複数の集積庫に集積する紙葉類処理装置（券処理装置）が知られている。
【０００３】
たとえば、紙葉類処理装置としての紙幣処理装置は、複数の券種からなる複数の紙幣を券種或いは紙幣の状態などの条件に応じて区分する装置である。このような紙幣処理装置では、紙幣の条件（種類あるいは紙幣の状態）に応じて割り当てられる複数の集積庫を有している。上記紙幣処理装置では、紙幣の種類或いは紙幣の状態を判別部により判別し、その判別結果に基づいて各紙幣を各集積庫に集積するようになっている。
【先行技術文献】
【特許文献】
【０００４】
【特許文献１】特開２００３−２８１５９８号公報
【発明の概要】
【発明が解決しようとする課題】
【０００５】
たとえば、処理対象となる複数の紙幣に特定の券種が多いことが予想される場合、多く含まれると予想される券種は、係員が作業をし易い集積庫（収納部）を割り当てたい。これにより、係員は、最も満杯になる頻度が多い集積庫に対して作業を楽に行うことができる。
【０００６】
しかしながら、従来の紙幣処理装置において、複数の集積庫に対する紙幣の条件（紙幣の種類あるいは状態）の割り当ては、固定されているか、或いは、特殊な操作によって変更するようになっている。
【０００７】
本発明の目的は、各券種の処理量に応じて券の収納先を変更することができる券処理装置及び券処理方法を提供することである
【課題を解決するための手段】
【０００８】
実施形態の券処理装置は、取出手段と、第１の判別手段と、データ収集手段と、第２の判別手段と、振分け手段と、収納手段とを備える。前記取出手段は、未処理券収納部に収納された複数の券を取り出す。前記第１の判別手段は、前記券の種類を判別する。前記データ収集手段は、各券種の処理量データを収集する。前記第２の判別手段は、前記券の種類及び前記各券種の処理量データに基づき、前記券の振分け先を判別する。前記振分け手段は、前記券の振分け先の判別結果に基づき、前記券を振分ける。前記収納手段は、振分けられた前記券を収納する複数の収納部により構成される。
【図面の簡単な説明】
【０００９】
【図１Ａ】実施形態に係る紙幣処理システム（券処理装置）の第１例を示す図である。
【図１Ｂ】実施形態に係る紙幣処理システム（券処理装置）の第２例を示す図である。
【図２】紙幣処理システムの制御系の構成の一例を示すブロック図である。
【図３】制御装置においてカセットの設定画面を表示する動作の一例を説明するためのフローチャートである。
【図４】ログイン画面の表示例を示す図である。
【図５】管理者の認証画面の表示例を示す図である。
【図６】管理者用のメニュー画面の表示例を示す図である。
【図７】各集積庫の設定画面（カセットアサイン画面）の表示例を示す図である。
【図８】券種指定ボタンと割り当て状態表示キーの例を示す図。
【図９】各割り当て状態表示キーが表す情報の一例を説明するための図である。
【図１０】集積庫の割り当て処理の一例を示すフローチャートである。
【発明を実施するための形態】
【００１０】
以下、実施形態について図面を参照して説明する。
【００１１】
図１Ａは、実施形態に係る紙幣処理システム（券処理装置）の第１例を示すものである。図１Ｂは、実施形態に係る紙幣処理システム（券処理装置）の第２例を示すものである。
【００１２】
たとえば、図１Ａ及び図１Ｂに示す紙幣処理システムは、複数国の券（例えば紙幣）を処理することが可能であり、オペレータは、紙幣処理システムに対して、処理する券の国を設定する。
【００１３】
たとえば、図１Ａに示すように、取り出し部ａは、集積された複数の紙幣を取り出し、本体メインモジュールｂの鑑査ユニットｃは、紙幣の券種を判定する。券種判定された紙幣は、搬送路を通り、反転ユニットｄは、券種判定データに基づいて券を反転する。その後、紙幣は、本体メインモジュールｂ、追加集積モジュールｅ、施封モジュールｆ、大容量集積モジュールｇ等の各集積庫ｈに集積される。
【００１４】
後に詳しく説明するが、紙幣処理システムは、記憶部に記憶した紙幣の種類別の処理量データに基づき、券種別に集積庫ｈを自動的に割り当て、券種に応じて集積庫ｈに券を振分ける。たとえば、紙幣処理システムは、別の紙葉類処理システムで収集された紙幣の種類別の処理量データをネットワーク等を介して受信し、又は紙葉類処理システムで収集された紙幣の種類別の処理量データを各種の記憶媒体から読み取り、受信又は読み取った紙幣の種類別の処理量データに基づき、券種別に集積庫ｈを自動的に割り当てる。
【００１５】
なお、紙幣処理システムは、オペレータからの券種に応じた集積庫ｈの割り当て指示に基づき、券種別に集積庫ｈを割り当てることもできる。集積庫ｈの割り当てがなされていない場合、たとえば、紙幣処理システムは、第１の集積庫（オペレータの席に最も近い集積庫）に対して額面の最も小さい券の集積を割り当て、第２の集積庫（オペレータの席に二番目に近い集積庫）に対して額面の二番目に小さい券の集積を割り当てる。
【００１６】
紙幣処理システムは、複数国の券を切り替えて処理する場合は、複数国の券別に集積庫の割り当ての設定を記憶することができる。
【００１７】
次に、図１Ｂを参照して紙幣処理システムの詳細について説明するが、図１Ａに示す紙幣処理システムと図１Ｂに示す紙幣処理システムの基本動作は同じである。
【００１８】
紙幣処理システムは、紙幣処理装置本体１と紙幣処理装置本体１を操作するための制御装置２とから構成されている。上記制御装置２が制御する紙幣処理装置本体１は、１台であっても、複数台であっても良い。
【００１９】
紙幣処理装置本体１は、紙幣（券）を種類或いは状態に応じて区分し、区分した紙幣を種類或いは状態ごとに集積する区分集積装置１Ａと所定数毎に紙幣を施封する施封装置１Ｂとを有している。上記紙幣処理装置本体１は、１つの区分集積装置１Ａに対して任意の数の施封装置１Ｂが接続可能な構成となっている。
【００２０】
上記区分集積装置１Ａは、複数の種類からなる複数の紙幣が一括して投入される。上記区分集積装置１Ａは、投入された各紙幣の種類及び状態に応じて分類する。上記区分集積装置１Ａは、分類した紙幣を各集積庫（カセット）或いは施封装置１Ｂへ搬送する。上記施封装置１Ｂは、上記区分集積装置１Ａから供給される紙幣を集積庫（カセット）に集積し、所定数毎に紙帯で施封する。
【００２１】
上記制御装置２は、上記紙幣処理装置本体１の制御、上記紙幣処理装置本体１に対する動作設定、或いは上記紙幣処理装置本体１による処理データの管理などを行う。上記制御装置２は、たとえば、パーソナルコンピュータにより構成される。上記制御装置２は、後述する表示部、操作部及び記憶部などを有している。
【００２２】
次に、上記紙幣処理装置本体１の内部の構成について説明する。
【００２３】
図１に示すように、紙幣処理装置本体１は、区分集積装置１Ａ及び施封装置１Ｂにより構成されている。
【００２４】
上記区分集積装置１Ａには、複数の紙幣Ｐを投入する投入部４（未処理券収納部）が設けられている。上記投入部４には、複数の種類が混在する複数の紙幣が一括して投入される。上記投入部４に投入される紙幣Ｐは、それぞれ長手方向と短手方向とを有する。上記投入部４には、紙幣の長手方向の上端或いは下端が下を向く姿勢で投入される。
【００２５】
なお、図１Ｂに示す紙幣処理システムの紙幣処理装置本体１は、垂直方向に対して約４０度傾斜した状態で紙幣を保持する。
【００２６】
上記投入部４は、ステージ５、バックアッププレート６、及び、取出しローラ１０を有している。上記ステージ５には、複数の紙幣Ｐがその上端或いは下端に当接して整位された状態で投入される。上記バックアッププレート６は、上記ステージ５に対して鉛直方向に立設されている。上記バックアッププレート６は、ばね８によりステージ５に沿って取出しローラ１０側（図中左方向）に移動するようになっている。上記取出しローラ１０は、１対のローラにより構成される。上記取出しローラ１０は、所定方向に回転することによりステージ５上の図中左端にある紙幣Ｐを順に取り出す。したがって、上記投入部４に投入された複数の紙幣Ｐは、バックアッププレート６によってステージ５に沿って図中左方向に移動され、取出しローラ１０（取出し部）に押し付けられる。
【００２７】
上記取出しローラの後段には、搬送路１２が設けられている。上記搬送路１２は、複数のローラ１５と搬送ベルト１４、１６により構成されている。上記搬送路１２では、複数のローラ１５により駆動する搬送ベルト１４、１６により紙幣Ｐが搬送される。上記搬送路１２には、上記取出しローラ１０により取り出された紙幣Ｐが順に供給される。たとえば、上記取出しローラ１０は、紙幣Ｐをその上端或いは下端を先頭にして短手方向に搬送路１２に供給する。また、上記取出しローラ１０により搬送路１２上に供給される紙幣Ｐは、表裏がばらばらの状態となっている。図１Ａに示す構成例では、上記投入部４から取出される紙幣Ｐの取出し方向は下向きとなっている。
【００２８】
上記取出しローラ１０の後段に延設された搬送路１２上には、検知部３０が設けられている。上記検知部３０は、紙幣Ｐの券種、表裏、天地、汚れや破損の有無等の特徴を検知（判別）する。上記検知部３０は、種々のセンサにより構成される。上記検知部３０に設けられる種々のセンサは、搬送路１２を搬送される紙幣Ｐから種々の情報を読み取る。上記検知部３０には、たとえば、紙幣Ｐの表面の画像を読み取るイメージセンサ、紙幣Ｐの厚さを検知するセンサ、紙幣Ｐに含まれる磁性体を検知するセンサなどが設けられる。上記検知部３０の各センサにより読み取った情報に基づいて、後述する判定部は、上述したような紙幣Ｐの特徴を判定する。
【００２９】
図１Ａに示す区分集積装置１Ａでは、表裏及び天地がばらばらの状態の複数の紙幣Ｐが上記投入部４に投入される。このため、上記検知部３０を通過する各紙幣Ｐも、表裏及び天地がばらばらな状態となっている。ここで、上記検知部３０を通過する紙幣Ｐの表裏及び天地に関する向きは４種類ある。以下の説明では、表面が上方を向いて搬送方向前方に対して上端を向けて取出された紙幣Ｐを表上（ＦＦ）券と称し、表面が上方を向いて搬送方向前方に対して下端を向けて取出された紙幣Ｐを表下（ＦＲ）券と称し、裏面が上方を向いて搬送方向前方に対して上端を向けて取出された紙幣Ｐを裏上（ＢＦ）券と称し、裏面が上方を向いて搬送方向前方に対して下端を向けて取出された紙幣Ｐを裏下（ＢＲ）券と称する。つまり、検知部３０を通過して搬送される紙幣Ｐは、これら４種類の搬送姿勢のうちいずれかの姿勢で搬送されることになる。
【００３０】
上記検知部３０の後段に延設された搬送路１２上には、検知部３０における検知結果に基づいて紙幣Ｐの搬送方向を選択的に切換えるための複数のゲートＧ１〜Ｇ９が設けられている。
【００３１】
まず、ゲートＧ１は、紙幣Ｐを後段の処理が可能なものとリジェクトするものとに振り分ける。たとえば、上記検知部３０において、後段の処理が不可能であることが判定された紙幣は、ゲートＧ１を介してリジェクト箱３２（図中右方向）へ搬送される。後段の処理が不可能な紙幣としては、たとえば、２枚取りが判定された紙幣、所定のレベルを超えて大きくスキューしたことが判定された紙幣、或いは再流通可能な正券と判定されなかった損券や偽券などの紙幣（紙幣とは限らない）などがある。上記リジェクト箱３２には、紙葉類処理装置１の外部からアクセスが可能となっている。つまり、リジェクト箱３２に集積された紙幣Ｐは、係員が取り出すことができるようになっている。
【００３２】
一方、検知部３０において後段の処理が可能であると判定された紙幣Ｐは、ゲートＧ１を介してゲートＧ２（図中左方向）へ搬送される。ゲートＧ２は、表裏に応じて紙幣Ｐを振り分けるようになっている。ゲートＧ２の下流側の搬送路は、２方向に分岐されている。すなわち、ゲートＧ２は、表裏の状態に応じて紙幣Ｐの搬送方向を２方向に選択的に切換える。
【００３３】
ゲートＧ２の下流側で分岐された一方の搬送路上には、紙幣Ｐの表裏を反転させるための表裏反転機構３４（表裏反転部）が設けられている。また、ゲートＧ２の下流側で分岐された他方の搬送路３６は、紙幣Ｐの表裏を変化させずに、単に紙幣Ｐを通過させる搬送パスとなっている。すなわち、ゲートＧ２の後段では、紙幣Ｐの表裏を取り揃えられるようになっている。
【００３４】
上記表裏反転機構３４は、２組の搬送ベルト３３、３５により構成される。上記搬送ベルト３３及び３５は、その入口から出口に向けて中心軸の回りで１８０°回転されたねじり搬送路を形成している。したがって、上記ゲートＧ２により表裏反転機構３４へ振り分けられた紙幣Ｐは、表裏反転される。たとえば、ＦＦ券は、上記表裏反転機構３４により表裏反転され、裏面を上にしたＢＦ券に反転される。
【００３５】
上記表裏反転機構３４を通過して表裏反転された紙幣Ｐ、及び、上記表裏反転機構３４を通過せずに搬送路（搬送パス）３６を通過した紙幣Ｐは、いずれも合流部３８を介してゲートＧ３に送り込まれる。
【００３６】
ゲートＧ２から表裏反転機構３４を介して合流部３８に至る紙幣Ｐの処理時間（搬送時間）とゲートＧ２から搬送路３６を介して合流部３８に至る紙幣Ｐの搬送時間とが同じになるように設定されている。これにより、表裏反転機構３４を介して搬送された紙幣Ｐと搬送路３６を通過された紙幣Ｐとが同じタイミングで合流部３８を通過する。
【００３７】
ゲートＧ３は、合流部３８を通過した紙幣Ｐを振り分けるようになっている。ゲートＧ３の下流側の搬送路は、２方向に分岐されている。ゲートＧ３は、紙幣Ｐの種類（あるいは状態）に応じて紙幣Ｐの搬送方向を２方向に選択的に切換える。
【００３８】
ゲートＧ３の下流側で分岐された一方の搬送路は、紙幣Ｐを施封装置１Ｂへ搬送するための搬送路である。また、ゲートＧ３の下流側で分岐された他方の搬送路（水平搬送路）４０は、紙幣Ｐを区分集積装置１Ａ内の各集積庫４１〜４６に集積するための搬送路である。また、各集積庫４１〜４６には、それぞれ紙幣の有無を検知するセンサが設けられている。
【００３９】
すなわち、ゲートＧ３により図中右方向に分岐された水平搬送路４０は、複数の集積庫４１〜４６の上方で略水平方向に延びた搬送路を形成している。水平搬送路４０上には、紙幣Ｐを６つの集積庫４１〜４６のうちのいずれか１つに振り分けて集積するための５つのゲートＧ５〜Ｇ９が設けられている。
【００４０】
水平搬送路４０の最も上流側にあるゲートＧ５によって選択的に振り分けられた紙幣Ｐは集積庫４１に集積される。ゲートＧ６によって選択的に振り分けられた紙幣Ｐは集積庫４２に集積される。ゲートＧ７によって選択的に振り分けられた紙幣Ｐは集積庫４３に集積される。ゲートＧ８によって選択的に振り分けられた紙幣Ｐは集積庫４４に集積される。ゲートＧ９によって選択的に振り分けられた紙幣Ｐは集積庫４５或いは集積庫４６に集積される。
【００４１】
上記施封装置１Ｂは、図１Ａに示すように、集積庫５１、集積庫５２、供給部５３、施封機構５４、印刷機構５５、帯供給部５６を有している。上記集積庫５１、５２は、それぞれゲートＧ４を介して送り込まれた紙幣Ｐを集積する。各集積庫５１、５２には、それぞれ紙幣の有無を検知するセンサが設けられている。
【００４２】
上記供給部５３は、集積庫５１或いは５２に集積された所定枚数（たとえば１００枚）の紙幣Ｐを施封機構５４に供給する。上記施封機構５４は、供給部５３によって供給される集積庫５１或いは５２に集積された所定枚数（たとえば１００枚）の紙幣Ｐを紙帯で施封する施封機構である。上記印刷機構５５は、上記施封機構５４で使用する紙帯に所望の印刷データを印刷する。上記帯供給部５６は、上記施封機構５４で使用する紙帯を供給する。
【００４３】
上記施封装置１Ｂには、上記区分集積装置１ＡのゲートＧ３により図中左方向に分岐された搬送路によって紙幣Ｐが供給される。上記区分集積装置１Ａから供給された紙幣Ｐは、施封装置１Ｂ内においてゲートＧ４により搬送方向が２方向に選択的に切換えられる。ゲートＧ４によって分岐搬送される紙幣Ｐは、施封装置１Ｂ内の集積庫５１或いは集積庫５２に選択的に集積される。
【００４４】
上記ゲートＧ４を介していずれかの集積庫５１或いは５２に集積された紙幣Ｐは、供給部５３によって施封機構５４へ送り込まれる。上記施封機構５４では、上記帯供給部５６から供給された紙帯によって上記供給部５３により供給された所定枚数の紙幣Ｐを施封する。所定枚数毎に施封された紙幣Ｐの束は、図示しないコンベアを介して装置外へ搬出される。
【００４５】
なお、上記区分集積装置１Ａでは、後述する設定に基づいて特定の券種を施封装置１Ｂへ供給するようになっている。したがって、上記施封装置１Ｂでは、上記区分集積装置１Ａが供給される特定の券種の紙幣を施封するようになっている。また、施封装置１Ｂにて施封すべき券種以外の券種の紙幣Ｐは、上記区分集積装置１Ａ内の集積庫４１〜４６のいずれかに集積される。
【００４６】
次に、紙葉類処理システムの制御系について説明する。
【００４７】
図２は、上記紙幣処理システムの制御系のブロック図を示す図である。
【００４８】
上記紙幣処理装置本体１の区分集積装置１Ａの制御系は、図２に示すように、制御部６０、記憶部６１、取出し制御部６２、搬送制御部６３、ゲート制御部６４、判定部６５などにより構成されている。
【００４９】
上記制御部６０は、予め設定した動作プログラムに従って区分集積装置１Ａの全体動作を制御する。上記記憶部６１には、上記制御部６０により実行される動作プログラムが記憶される。また、上記記憶部６１は、データの記憶用に用いられる。たとえば、上記記憶部６１には、各集積庫４１〜４６、及び、施封装置１Ｂの集積庫５１、５２に集積される集積枚数を計数する計数テーブルが設けられている。
【００５０】
上記取出し制御部６２は、制御部６０の制御に基づいて取出しローラ１０の駆動するものである。上記搬送制御部６３は、制御部６０の制御に基づいて搬送ローラ１５、…の駆動するものである。上記ゲート制御部６４は、制御部６０の制御に基づいてゲートＧ１〜Ｇ３、Ｇ５〜Ｇ９の駆動を行うものである。
【００５１】
上記判定部６５は、検知部３０の検知結果に基づいて、紙幣Ｐの状態を判定するものである。上記判定部６５では、各センサにより読み取った情報と基準となる情報とを比較することにより紙幣Ｐの特徴を判定する。また、上記判定部６５は、検知部３０の検知結果に基づく判定結果を制御部６０に出力するものである。
【００５２】
たとえば、上記判定部６５は、当該紙幣Ｐの券種を判定するとともに、当該紙幣Ｐの表裏及び天地を判定する。さらに、上記判定部６５は、当該紙幣Ｐが正券か損券かを判定する。正券とは、再流通が可能な券であり、損券とは、再流通が不可な券である。つまり、正券か損券かは、紙幣の状態（質）の良し悪しにより判定されるものである。上記判定部６５では、紙幣の汚れ、破れ、折れ、紙質、テープ貼り等の度合いによって正券か損券かを判定する。
【００５３】
上記紙幣処理装置本体１の施封装置１Ｂの制御系は、図２に示すように、制御部７０、記憶部７１、搬送制御部７２、ゲート制御部７３、移動機構７４、施封機構５４、印刷機構５５などにより構成されている。
【００５４】
上記制御部７０は、予め設定した動作プログラムに従って施封装置１Ｂの全体動作を制御する。上記記憶部７１には、上記制御部７０により実行される動作プログラムが記憶される。上記搬送制御部７２は、上記制御部７０の制御に基づいて搬送ローラを駆動するものである。上記ゲート制御部７３は、上記制御部６０の制御に基づいてゲートＧ４の駆動を行うものである。上記移動機構７４は、上記制御部７０の制御に基づいて上記集積庫５１或いは５２に集積された所定枚数の紙葉類を移動（搬送）するものである。
【００５５】
上記制御装置２の制御系は、図２に示すように、制御部８０、記憶部８１、表示部８２、操作部８３、通信部８４などにより構成されている。
【００５６】
上記制御部８０は、予め設定した動作プログラムに従って制御装置２全体の制御を司るものである。たとえば、上記制御部８０は、係員からの操作指示に基づいて上記区分集積装置１Ａに対する各種の動作設定などを行う機能を有する。上記記憶部８１は、上記制御部８０により実行される動作プログラムが記憶される。また、上記記憶部８１には、区分集積装置１Ａの各集積庫４１〜４６、及び、施封装置１Ｂの集積庫５１、５２に対する設定情報などが後述するプリセット（設定名）に対応して記憶される。
【００５７】
上記表示部８２は、制御部８０の表示制御に基づいて係員に対する操作案内などを表示するものである。上記操作部８３は、係員が操作指示を入力するものである。上記表示部８２は、ディスプレイ装置などにより構成される。上記操作部８３は、キーボード或いはマウスなどの入力装置などにより構成される。上記表示部８２と上記操作部８３とは、たとえば、タッチパネル内蔵のディスプレイ装置により構成されるようにしても良い。さらに、上記表示部８２と上記操作部８３とは、タッチパネル内蔵のディスプレイ装置とキーボード等の入力装置とを設けた構成としても良い。
【００５８】
通信部８４は、外部（例えば別の紙幣処理システム）と通信し、後述する各券種（紙幣の種類別）の処理量データ又は各券種（紙幣の種類別）の流通量データ等を受信することができる。
【００５９】
次に、上記制御装置２による紙葉類処理装置本体１の各集積庫（カセット）４１〜４６、５１、５２の設定について説明する。
【００６０】
ここでは、上記表示部８２と上記操作部８３とは、タッチパネル内蔵のディスプレイ装置により構成されているものとする。また、各集積庫４１〜４６、５１、５２の設定は、管理者（スーパーバイザ）により行われるものとする。
【００６１】
図３は、上記制御装置２においてカセットの設定画面を表示する動作を説明するためのフローチャートである。また、図４は、ログイン画面の表示例を示す図である。図５は、管理者の認証画面の表示例を示す図である。図６は、管理者用のメニュー画面の表示例を示す図である。
【００６２】
まず、上記制御部８０は、上記表示部８２にログイン画面を表示する（ステップＳ１）。たとえば、上記ログイン画面は、図４に示すように、スーパーバイザ（設定変更などの権限を有する管理者）とオペレータ（管理権限を持たない係員）との選択ボタンが表示される。このようなログイン画面において管理者を選択するボタンが入力されると（ステップＳ２、ＹＥＳ）、上記制御部８０は、上記表示部８２に当該管理者の認証画面を表示する（ステップＳ３）。たとえば、管理者の認証画面は、図５に示すように、当該管理者のＩＤ情報とパスワードとを入力画面を表示する。
【００６３】
このような画面において認証情報（ＩＤ情報とパスワード）が入力されると、上記制御部８０は、入力された認証情報が正しいか否かを判断する（ステップＳ４）。この判断により入力された認証情報が正しいと判断した場合（ステップＳ４、ＹＥＳ）、上記制御部８０は、上記表示部８２に管理者用のメニュー画面を表示する（ステップＳ５）。
【００６４】
たとえば、管理者用のメニュー画面には、図６に示すように、少なくともカセットの設定（カセットアサイン）を選択するボタンが表示される。このような管理者用のメニュー画面においてカセットの設定を選択するボタンが入力されると（ステップＳ６、ＹＥＳ）、上記制御部８０は、上記表示部８２に後述するようなカセットアサイン画面を表示する（ステップＳ７）。このカセットアサイン画面において、紙幣処理装置本体１内の各カセットの設定（各カセットに割り当てる紙幣の条件の設定）が行われる。
【００６５】
上記のように、各カセットの設定或いは正券と損券とを区分するための正損レベルの設定は、パスワード等の認証情報により認証された管理者のみが行えるようになっている。すなわち、上記紙幣処理システムでは、管理者により設定された設定内容に基づいて紙幣を区分するようになっている。これにより、一般のオペレータ（管理権限を有しない係員）が各カセットの設定或いは正損レベルの設定を変更してしまうことを防止することができる。
【００６６】
次に、各集積庫（カセット）４１〜４６、５１、５２の設定画面について説明する。
【００６７】
図７は、各集積庫の設定画面（カセットアサイン画面）の表示例である。
【００６８】
図７に示す表示例では、カセットアサイン画面は、設定状況の表示ウインドウ１０１、設定名の表示ウインドウ１０２、読込ボタン１０３、記憶ボタン１０４、券種指定ボタン１１１〜１１７、状態表示アイコン１２１〜１２７、状態指定ボタン１３０（１３１〜１３４）、追加ボタン１４１、削除ボタン１４２、正損レベル設定ボタン１５１、アプライボタン１５２、紙帯プリント設定ボタン１５３、プリセットボタン１５４、リターンボタン１５５などから構成されている。
【００６９】
上記表示ウインドウ１０１は、各集積庫の設定情報を表示する表示領域である。この表示ウインドウ１０１には、各集積庫４１〜４６、５１、５２に割り当てられている紙幣の券種及び条件などが一覧表示されている。図７に示す表示例において、表示ウインドウ１０１の左端の欄は、集積庫を示す情報が表示される。たとえば、「Ｓ１−１」は、施封装置１Ｂの集積庫５１を示し、「Ｓ１−２」は、施封装置１Ｂの集積庫５２を示す。さらに、「Ｓ２−１」〜「Ｓ４−２」は、２台目以降の施封装置の各集積庫を示している。
【００７０】
なお、図１では、区分集積装置１Ａに対して１台の施封装置を接続した構成を示しているが、紙葉類処理システムでは、上述したように、１台の区分集積装置１Ａに対して複数台の施封装置を接続することが可能である。１台の区分集積装置１Ａに対して複数台の施封装置を接続した場合、「Ｓ２−１」〜「Ｓ４−２」は、２台目以降の施封装置の各集積庫を示す。
【００７１】
図７に示す表示ウインドウ１０１の例において、左端の欄の「Ａ」は、区分集積装置１Ａ内の集積庫４１を示し、「Ｂ」は、区分集積装置１Ａ内の集積庫４２を示している。ここで、図７に示す表示例では、「Ａ」の欄が２つ設けられている。これは、「Ａ」つまり集積庫４１に対して２種類の紙幣が割り当てることが可能であることを示している。このように、１つの集積庫に対しても複数種類の紙幣を割り当てることも可能となっている。
【００７２】
図７の表示ウインドウ１０１における左から２つ目の欄は、対応する集積庫に割り当てられている紙幣の券種を示す情報が表示される。たとえば、図７に示す表示ウインドウ１０１の例では、「Ｓ１−１」のカセット（つまり、集積庫５１）及び「Ｓ１−１」のカセット（つまり、集積庫５１）に「５００ユーロ」、「Ａ」のカセット（つまり、集積庫４１）に「２０ユーロ」、「Ｂ」のカセット（つまり、集積庫４２）に「１０ユーロ」がそれぞれ割り当てられていることを示している。
【００７３】
図７に示す表示ウインドウ１０１の例において、左から３つ目の欄は、紙幣に対する第１の条件として紙幣の状態を示す情報が表示される。この欄では、紙幣に対する第１の条件として、正券（Ｆｉｔ）、損券（Ｕｎｆｉｔ）、或いは、正券と損券の混合（Ｍｉｘ）を示す情報が表示される。
【００７４】
たとえば、図７に示す表示ウインドウ１０１の例では、「Ｓ１−１」のカセット（つまり、集積庫５１）及び「Ｓ１−１」のカセット（つまり、集積庫５１）には、第１の条件が「Ｍｉｘ」の「５００ユーロ」が割り当てられていることを示している。また、「Ａ」のカセット（つまり、集積庫４１）には、第１の条件が「正券と損券の混合（Ｍｉｘ）」の「２０ユーロ」が割り当てられていることを示している。「Ｂ」のカセット（つまり、集積庫４２）には、第１の条件が「正券と損券の混合（Ｍｉｘ）」の「１０ユーロ」が割り当てられていることを示している。
【００７５】
図７の表示ウインドウ１０１における左から４つ目の欄は、紙幣に対する第２の条件として紙幣の状態を示す情報が表示される。この欄では、紙幣に対する第２の条件として、紙幣の向き（集積庫に集積した時の向き）が、正方向（Ｆｏｒｗａｒｄ）、逆方向（Ｂａｃｋｗａｒｄ）、或いは、正方向と逆方向の混合（Ｍｉｘ）を示す情報が表示される。なお、区分集積装置１Ａに向きを揃える機構が設けられている場合、このような紙幣の向き（集積庫に集積した時の向き）を示す表示欄は、省略される。
【００７６】
たとえば、図７に示す表示ウインドウ１０１の例では、「Ｓ１−１」のカセット（つまり、集積庫５１）及び「Ｓ１−１」のカセット（つまり、集積庫５１）には、第１の条件が「正券と損券の混合（Ｍｉｘ）」で、かつ、第２の条件が「正方向と逆方向の混合（Ｍｉｘ）」の「５００ユーロ」が割り当てられていることを示している。また、「Ａ」のカセット（つまり、集積庫４１）には、第１の条件が「正券と損券の混合（Ｍｉｘ）」で、かつ、第２の条件が「正方向と逆方向の混合（Ｍｉｘ）」の「２０ユーロ」が割り当てられていることを示している。「Ｂ」のカセット（つまり、集積庫４２）には、第１の条件が「正券と損券の混合（Ｍｉｘ）」で、かつ、第２の条件が「正方向と逆方向の混合（Ｍｉｘ）」の「１０ユーロ」が割り当てられていることを示している。
【００７７】
図７の表示ウインドウ１０１における左から５つ目（右端）の欄は、対応する集積庫に割り当てられている紙幣の券種の正損レベルを示す情報が表示される。たとえば、図７に示す表示ウインドウ１０１の例では、各カセットに割り当てられている各券種に対して正損レベルとしてレベル「５」が設定されていることを示している。
【００７８】
上記表示ウインドウ１０２は、「プリセット」と呼ぶ設定名を表示する表示領域である。上記「プリセット」は、図７に示すような設定内容全体に対する設定名である。上記「プリセット」は、たとえば、表示ウインドウ１０２の右端をクリックすることにより変更することができるようになっている。
【００７９】
上記読込ボタン１０３は、上記表示ウインドウ１０２に表示されているプリセットの設定内容を読み込むことを指示するボタンである。上記記憶ボタン１０４は、図７に示す各種のボタンにより設定した内容を上記表示ウインドウ１０２に表示されているプリセット（設定名）で記憶することを指示するボタンである。
【００８０】
上記券種指定ボタン１１１〜１１７は、紙幣の券種を指定するボタンである。図７に示す例では、上記券種指定ボタン１１１が「５ユーロ」、上記券種指定ボタン１１２が「１０ユーロ」、上記券種指定ボタン１１３が「２０ユーロ」、上記券種指定ボタン１１４が「５０ユーロ」、上記券種指定ボタン１１５が「１００ユーロ」、上記券種指定ボタン１１６が「２００ユーロ」、上記券種指定ボタン１１７が「５００ユーロ」、を指定するボタンである。
【００８１】
たとえば、「Ｓ１−１」に「５００ユーロ」を割り当てる場合、図７に示すように、「Ｓ１−１」の欄を選択状態（反転表示状態）としたまま、上記券種指定ボタン１１７を指示する。これにより、上記「Ｓ１−１」のカセットに「５００ユーロ」の紙幣が割り当てられる。
【００８２】
上記状態表示アイコン１２１〜１２７は、紙幣の券種及び状態に対応する各区分集積装置１Ａ内の各集積庫４１〜４６の割り当て状態を表示するものである。図７に示す例では、上記表示アイコン１２１が「５ユーロ」、上記表示アイコン１２２が「１０ユーロ」、上記表示アイコン１２３が「２０ユーロ」、上記表示アイコン１２４が「５０ユーロ」、上記表示アイコン１２５が「１００ユーロ」、上記表示アイコン１２６が「２００ユーロ」、上記表示アイコン１２７が「５００ユーロ」、に割り当て状態を示している。
【００８３】
たとえば、図８は、上記券種指定ボタン１１１〜１１７と上記状態表示アイコン１２１〜１２７の例を示す図である。また、図９は、各表示アイコン１２１〜１２７が表す情報を説明するための図である。図８及び図９に示すように、各表示アイコン１２１〜１２７は、それぞれ、正方向の正券（ｆｉｔかつｆｏｒｗａｒｄ）に対する割り当て状態を示すアイコン１２１ａ〜１２７ａ、正方向の損券（ｕｎｆｉｔかつｆｏｒｗａｒｄ）に対する割り当て状態を示すアイコン１２１ｂ〜１２７ｂ、逆方向の正券（ｆｉｔかつｂａｃｋｗａｒｄ）に対する割り当て状態を示すアイコン１２１ｃ〜１２７ｃ、逆方向の損券（ｕｎｆｉｔかつｂａｃｋｗａｒｄ）に対する割り当て状態を示すアイコン１２１ｄ〜１２７ｄにより構成されている。したがって、各表示アイコン１２１〜１２７は、対応する券種について４つの条件ごとに、割り当てられている集積庫４１〜４６を示している。
【００８４】
上記状態指定ボタン１３０は、正券ボタン１３１、損券ボタン１３２、正方向ボタン１３３、及び、逆方向ボタン１３４から構成される。上記正券ボタン１３１は、紙幣の条件として、正券（ｆｉｔ）であることを指定するボタンである。上記損券ボタン１３２、紙幣の条件として、損券（ｕｎｆｉｔ）であることを指定するボタンである。上記正方向ボタン１３３は、紙幣の条件として、正方向（ｆｏｒｗａｒｄ）であることを指定するボタンである。上記逆方向ボタン１３４は、紙幣の条件として、逆方向（ｂａｃｋｗａｒｄ）であることを指定するボタンである。
【００８５】
上記追加ボタン１４１は、選択されている集積庫に割り当てられている紙幣の条件（券種及び紙幣の状態）等を追加することを指示するボタンである。上記削除ボタン１４２、選択されている集積庫に割り当てられている紙幣の条件（券種及び紙幣の状態）等を削除することを指示するボタンである。
【００８６】
上記正損レベル設定ボタン１５１は、各紙幣が正券か損券かを判定するための閾値を変更することを指示するボタンである。上記アプライボタン１５２は、画面上に表示されている設定内容を適用することを指示するボタンである。上記紙帯プリント設定ボタン１５３は、施封装置１Ｂにおいて所定数の紙幣を束ねるための紙帯にプリントする内容を設定することを指示するボタンである。上記プリセットボタン１５４は、プリセットとしての設定名を設定することを指示するボタンである。上記リターンボタン１５５は、操作を元に戻すことを指示するボタンである。
【００８７】
次に、自動カセットアサインの一例について説明する。上記説明したように、紙幣処理システムは、カセットアサイン画面を介した設定に基づきカセットをアサインすることもできるが、紙幣の種類別の処理量データ又は紙幣の種類別の流通量データ等に基づき、自動的にカセットをアサインすることもできる。
【００８８】
たとえば、制御装置２の通信部８４は、外部（例えば別の紙幣処理システム）と通信し、外部からの紙幣の種類別の処理量データを受信し、記憶部８１は、受信した紙幣の種類別の処理量データを記憶する。たとえば、外部からの紙幣の種類別の処理量データは、別の１又は複数台の紙幣処理システムで紙幣を処理した結果得られるデータであり、紙幣の種類別の処理枚数を示すデータである。
【００８９】
判定部６５は、搬送される紙幣の券種を判定し、ゲート制御部６４は、判定された券種及び紙幣の種類別の処理量データに基づき、紙幣の振分け先を判定し、紙幣の振分け先の判定結果に基づき、ゲートＧ１〜Ｇ９（特にゲートＧ５〜Ｇ９）を制御し、紙幣を振分ける（集積庫４１〜４６へ振分ける）。
【００９０】
たとえば、記憶部８１は、最も処理量の多い第１の券種の紙幣を集積庫４６へ集積し、次に処理量の多い第２の券種の紙幣を集積庫４５へ集積し、次に処理量の多い第３の券種の紙幣を集積庫４４へ集積し、次に処理量の多い第４の券種の紙幣を集積庫４３へ集積するデータを記憶しているとする。この場合、ゲート制御部６４のゲートＧ１〜Ｇ９の制御により、第１の券種の紙幣は集積庫４６へ振分けられて集積され、第２の券種の紙幣は集積庫４５へ振分けられて集積され、第３の券種の紙幣は集積庫４４へ振分けられて集積され、第４の券種の紙幣は集積庫４３へ振分けられて集積される。
【００９１】
オペレータが、制御装置２の近くに配置されるケースを想定すると、最も処理量の多い第１の券種の紙幣が集積庫４６に集積されるので、オペレータの負担が軽減される。
【００９２】
また、紙幣処理システムの取出し制御部６２が、投入部４に投入された複数の紙幣のうちの所定枚数（例えば１００枚）の紙幣を取り出し、判定部６５が、これら所定枚数の紙幣の種別を判別し、これら所定枚数の紙幣の種別の判別結果に基づき上記した紙幣の種類別の処理量データを収集することもできる。記憶部８１は、収集された紙幣の種類別の処理量データを記憶する。
【００９３】
判定部６５は、搬送される紙幣の券種を判定し、ゲート制御部６４は、判定された券種及び上記収集された紙幣の種類別の処理量データに基づき、紙幣の振分け先を判定し、紙幣の振分け先の判定結果に基づき、ゲートＧ１〜Ｇ９（特にゲートＧ５〜Ｇ９）を制御し、紙幣を振分ける（集積庫４１〜４６へ振分ける）。
【００９４】
或いは、通信部８４が受信した外部からの紙幣の種類別の処理量データに基づく振分けを優先し、通信部８４が紙幣の種類別の処理量データを受信できない場合に、判定部６５が、紙幣の種類別の処理量データを収集するようにしてもよい。また、判定部６５が、紙幣の種類別の処理量データを収集する場合、上記したように所定枚数の紙幣が処理されるため、所定枚数の紙幣の処理後に、オペレータは、これら所定枚数の紙幣を投入部４へ戻す。或いは、区分集積装置１Ａが、所定枚数の紙幣を投入部４へ戻す機構を備えてもよい。
【００９５】
また、紙幣の種類別の処理量データ以外に、紙幣の種類別の流通量データを利用するようにしてもよい。制御装置２の通信部８４は、外部（例えば流通量データを保持するサーバ）と通信し、外部からの紙幣の種類別の流通量データを受信し、記憶部８１は、受信した紙幣の種類別の流通量データを記憶する。
【００９６】
判定部６５は、搬送される紙幣の券種を判定し、ゲート制御部６４は、判定された券種及び紙幣の種類別の流通量データに基づき、紙幣の振分け先を判定し、紙幣の振分け先の判定結果に基づき、ゲートＧ１〜Ｇ９（特にゲートＧ５〜Ｇ９）を制御し、紙幣を振分ける（集積庫４１〜４６へ振分ける）。
【００９７】
或いは、通信部８４が受信した外部からの紙幣の種類別の処理量データに基づく振分けを優先し、通信部８４が紙幣の種類別の処理量データを受信できない場合に、通信部８４が、紙幣の種類別の処理量データに替えて紙幣の種類別の流通量データを収集するようにしてもよい。
【００９８】
図１０は、自動カセットアサインの一例を示すフローチャートである。
【００９９】
たとえば、オペレータは、操作部８３を介して、国名を指定し、処理対象の紙幣の券種を選択する（Ｓ１１)。さらに、オペレータが、操作部８３を介して、券種別に集積庫の割り当てを設定することもできる（Ｓ１２、ＹＥＳ)（Ｓ１３)。
【０１００】
オペレータが、集積庫の割り当てを設定しない場合であって（Ｓ１２、ＮＯ)、紙幣の種類別の処理量データが無い場合には（Ｓ１４、ＮＯ)、制御部８０、６０は、紙幣スルー処理を指示し、紙幣の種類別の処理量データを収集、蓄積する（Ｓ１５)。例えば、取出し制御部６２は、紙幣スルー処理に指示に基づき、投入部４に投入された複数の紙幣のうちの所定枚数（例えば１００枚）の紙幣を取り出し、判定部６５が、これら所定枚数の紙幣の種別を判別し、これら所定枚数の紙幣の種別の判別結果に基づき上記した紙幣の種類別の処理量データを収集する。記憶部８１は、収集された紙幣の種類別の処理量データを記憶する。
【０１０１】
上記により、紙幣の種類別の処理量データは蓄積され（Ｓ１４、ＹＥＳ)、判定部６５は、記憶部８１から紙幣の種類別の処理量データを読出し（Ｓ１６)、券種別に集積庫を割り当て（Ｓ１７)、判定処理を実行する（Ｓ１８)。つまり、判定部６５は、搬送される紙幣の券種を判定し、ゲート制御部６４は、判定された券種及び上記収集された紙幣の種類別の処理量データに基づき、紙幣の振分け先を判定し、紙幣の振分け先の判定結果に基づき、ゲートＧ１〜Ｇ９（特にゲートＧ５〜Ｇ９）を制御し、紙幣を振分ける（集積庫４１〜４６へ振分ける）。
【０１０２】
上記判定処理で得られた紙幣の種類別の処理量データは、さらに記憶部８１に蓄積される（Ｓ１９)。
【０１０３】
以下、本実施形態の紙幣処理システムについてまとめる。
【０１０４】
たとえば、オペレータが紙幣の処理量を考慮せずに紙幣の種類別に集積庫を設定すると、場合によってはオペレータの席から一番遠い集積庫に処理量の多い紙幣が集積され、オペレータの負荷が大きくなる。また、オペレータの負荷が大きいと考えられる際に、紙幣の種類別の集積庫の割り当てを変更しようとすると、一旦現在の業務を終了しなければならず、不便である。
【０１０５】
そこで、上記説明しように、本実施形態の紙幣処理システムは、オペレータが紙幣の種類別に集積庫を設定できることに加え、過去の紙幣の種類別の処理量データに基づき、紙幣の処理量に応じて集積庫を自動的に割り当てることができる。
【０１０６】
たとえば、紙幣処理システムは、他の紙幣処理システムで収集された紙幣の種類別の処理量データを収集（ダウンロード）することにより、収集した紙幣の種類別の処理量データに基づき自動的に各券種の集積庫を割り当てる。
【０１０７】
また、紙幣処理システムは、上記紙幣の種類別の処理量データを収集できない場合には、紙幣の種類別の流通量データに基づき自動的に各券種の集積庫を割り当てることもできる。
【０１０８】
本実施形態の紙幣処理システムは、紙幣の種類別の処理量に応じて各券種の集積庫を割り当てるため（又は各券種の集積庫の割り当てを変更するため）、たとえば、処理量の多い券から順にオペレータの席の近くの集積庫に割り当てることができる。これにより、紙幣が集積された後の業務効率が上がる。
【０１０９】
以下、本実施形態の紙幣処理システムの作用効果についてまとめる。
【０１１０】
（１）オペレータによりアクセスされる回数が多いと考えられる処理量の多い券種の収納先をオペレータの近くの集積庫に割り当てることにより、業務効率が向上する。
【０１１１】
（２）これまでに蓄積された処理量データや、他の紙幣処理システムで収集された処理量データ、流通量データ等の情報を使用することにより、処理量の多い券種の収納先をオペレータの近くの集積庫に割り当てることができ、オペレータが紙幣を回収する際の負荷を軽減することができる。
【０１１２】
（３）処理量データを取得できない場合でも、処理量データに替えて流通量データを取得、使用することで、結果的に処理量の多い券種の収納先をオペレータの近くの集積庫に割り当てることができ、オペレータが紙幣を回収する際の負荷を軽減することができる。
【０１１３】
（４）各国の紙幣の処理量データ又は流通量データを登録、保存、使用することにより、各国の紙幣の処理量等に応じた集積庫の割り当てが可能となる。
【０１１４】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１１５】
１…紙幣処理装置本体、２…制御装置、１Ａ…区分集積装置、１Ｂ…施封装置
【図１Ａ】
2013214129.tif 000003
【図１Ｂ】
2013214129.tif 000004
【図２】
2013214129.tif 000005
【図３】
2013214129.tif 000006
【図４】
2013214129.tif 000007
【図５】
2013214129.tif 000008
【図６】
2013214129.tif 000009
【図７】
2013214129.tif 000010
【図８】
2013214129.tif 000011
【図９】
2013214129.tif 000012
【図１０】
2013214129.tif 000013